(57)【要約】【課題】  パネル引き出し量を、正確に、且つ面倒な操作無しに自在に行うことができ、また引き出し作業に要する力を軽減した板金用引出器具の提供。【解決手段】  板金面に当てる当て座部材が取り付けられた基部フレームと、当該基部フレームに対して進退自在に設けられて先端に板金面との接続具が設けられたシャフトと、当該シャフトを後退させる際の操作部としての操作レバーと、当該操作レバーの操作に応じてシャフトを後退させる第一のラチェット機構を備える板金用引出具とする。【選択図】図１
2007083244.tif 000002
【特許請求の範囲】
【請求項１】
板金面を引き出すための板金用引出具であって、
板金面に当接する脚部が設けられた基部フレームと、
当該基部フレームに対して進退自在に設けられて先端に板金面との接続具が設けられたシャフトとを備え、
前記脚部は、少なくとも引き出し動作時において板金面に当接する当て座部材と、当該当て座部材を基部フレームに取り付けるスタンド部材とを備え、
当該脚部における当て座部材は、前記基部フレームに対して回動自在に取り付けられていることを特徴とする、板金用引出具。
【請求項２】
前記当て座部材は長尺な形状に形成されており、スタンド部材に対して偏心した位置で取り付けられている請求項１に記載の板金用引出具。
【請求項３】
前記当て座部材は、スタンド部材に取り付く部分において幅広く形成されており、当該取付部分から離れるにつれて狭い幅に形成されている請求項１又は２に記載の板金用引出具。
【請求項４】
前記脚部は、当て座部材とスタンド部材とからなる脚部構成単位を２つ以上組み合わせて構成されている、請求項１〜３の何れか一項に記載の板金用引出具。
【請求項５】
前記スタンド部材は基部フレームに対して進退自在に取り付けられており、且つ前記基部フレームにおけるスタンド部材の取付部には、少なくとも基部フレームに対するスタンド部材の軸方向への移動を阻止するロック機構が設けられている請求項１〜４の何れか一項に記載の板金用引出具。
【請求項６】
更に、前記基部フレームに対して進退自在に設けられ、先端に板金面との接続具が設けられたシャフトと、
当該シャフトを後退させる際の操作部としての操作レバーと、
当該操作レバーの操作に応じてシャフトを後退させる第一のラチェット機構を備える、請求項１〜５の何れか一項に記載の板金用引出具。
【請求項７】
車体パネルの凹みを補修する車体パネルの補修方法であって、
当該補修方法は、請求項１〜６の何れか一項に記載の板金用引出具を用いて凹んだ車体パネルを引き出す工程、及び
前記パネルの引き出し工程と共に、ハンマーで叩き込む工程を含むことを特徴とする、車体パネルの補修方法。
【発明の詳細な説明】
【技術分野】
【０００１】
本発明は板金用引出具及びこれを用いた車体パネルの補修方法に関する。
【背景技術】
【０００２】
金属板材に生じた凹み、例えば事故等で凹んだ自動車のボディー（車体パネル）を簡易且つ迅速に復元する方法として、近年では、各種の板金用引出具を用いて、凹みを車体パネルの外側から引き出す方法が行われている。このような方法によれば、修復すべき凹み部分の裏面を露呈することなしに、当該凹み部分の表面側のみで修復処理を行うことができ、作業時間を大幅に短縮することができる。
【０００３】
そして従来、このような補修方法に使用される板金用引出具（プーラー）としては、一般に、溶接電極用の溶接チップ（溶植チップともいう）をロッドの先端に設けたものや、フックをロッドの先端に設けたもの等が提供されている。
【０００４】
この内、溶接チップを設けた引出具では、溶接チップを補修対象となる車体パネルの凹み部に溶接した後、ロッドを引っ張って凹み具合を緩和するもので、またフックを設けた引出具では、板金面に溶接したワッシャや孔開きピンにフックを直接的または間接的に引っ掛けて、同様にロッドを引っ張って凹み具合を緩和するものである。
【０００５】
かかる板金用引出具乃至プーラーに就いての先行文献としては、特許文献１〜４が存在する。
【０００６】
特許文献１（特開平７−３０３９２０号公報）では、操作手段の握り幅を作業者に適する握り幅に調整できるように、メインレバーと前記セカンドレバーとの握り幅を調整する握り幅調整手段を配設することが提案されており、またこの文献では、脚体における左右の脚部を独立させて、左右の脚部の位置を移動させて使用することも提案されている（特許文献１の図１１）。
【０００７】
また、特許文献２（特開平１０−３２８７３９号公報）では、梃子の原理を利用して、自動車の車体等板金の陥没した部分を微弱な作用力で容易、且つ、適正に引出すことが出来る板金の補修方法と、これに用いる簡易構造の工具を提案している。
【０００８】
また、特許文献３（特開２００４−１５４８５５号公報）では、点溶接電極棒の突き出し量の調整を簡単、正確且つ迅速に行い、更に損傷部位の損傷の状況に応じてスタンド部材の回動位置の変更や取換えを容易且つ迅速に行えるようにするべく、点溶接電極棒の仮溶接部位方向への突き出し量を調整する突き出し量調整手段と、仮溶接後の点溶接電極棒の仮溶接部位方向と反対方向への引き上げ量を調整する引き上げ量調整手段とを備え、更に異なるサイズと形状を有する複数の種類のスタンド部材を具備する金属板材の凹み修復用プーラーが提案されている（特許文献３の図）。
【０００９】
また特許文献４（特開２００２−２０５１１５号公報）は、凹み面の過度の引き出しを防止し、また施工箇所に適合した引出具を、引出補助具と選択的に組み合わせることによって、効率よく凹んだ箇所を引き出すことのできる板金用引出装置に関するものであるが、この文献の段落番号〔００３４〕には、脚部本体の先端部に、軸部によって接面部を回動可能に支持することが記載されている。
【特許文献１】特開平７−３０３９２０号公報
【特許文献２】特開平１０−３２８７３９号公報
【特許文献３】特開２００４−１５４８５５号公報
【特許文献４】特開２００２−２０５１１５号公報
【発明の開示】
【発明が解決しようとする課題】
【００１０】
上記の通り、従来においては数多くの板金用引出具が提案されており、前記特許文献１や特許文献３には、凹みの大きさに合わせて、スタンド部材部材の大きさや、左右の脚部の間隔を調整することのできる板金用引出具も提案されている。
【００１１】
しかしながら、これら特許文献１や３では、単に凹みの「大きさ」にあわせてスタンド部材や脚部を設定することを開示しているに過ぎず、凹みの平面形状に合わせて、スタンド部材の形状自体を変更することについては、何等記載も示唆もされていない。
【００１２】
ここで、補修対象となる車体パネルの凹みを再度考察してみると、凹みの平面形状は直線状であったり、一定の領域で複雑に凹んでいたり、或いは紆余湾曲しながら窪んでいたりと様々である。そしてこのように複雑な平面形状を有する凹みを的確に補修するためには、その引き出し作業に際しての脚部の設置位置、及び設置形状を適切に設定することが重要である。
【００１３】
そこで本発明は、第一に、凹みの平面形状に応じて、板金用引出具の、車体パネルに対する設置面の形状を自在に調整できる板金用引出具を提供するものである。
【００１４】
また、車体パネルの凹み部分を引き出す際、その反作用により板金用引出具と車体パネルとの設置面である脚部（特にパネルとの設置面：当て座部材）に多大な力が作用することになる。そこで本発明は、このような引き出し作業時における反作用の力を均等に分散することのできる当て座部材を有する板金用引出具を提供するものである。
【００１５】
更に、凹みの引き出し作業に際しては、引き出し点の周囲のパネルも付随的に引き出されてしまうことから、意図する引き出し地点だけを効率的に所望量だけ引き出すことのできる車体パネルの補修方法を提供するものである。
【課題を解決するための手段】
【００１６】
本発明にかかる板金用引出具では、脚部における、車体パネルに対しての設置面である当て座部材を、基部フレームに対して回動自在に設けることで、当て座部材の自由な配置を可能にし、かつハンマーによるパネルの叩き出しの為の空間を確保し得るようにした板金用引出具としたものである。
【００１７】
即ち、前記課題を解決するものとして、本発明は板金面を引き出すための板金用引出具であって、板金面に当接する脚部が設けられた基部フレームと、当該基部フレームに対して進退自在に設けられて先端に板金面との接続具が設けられたシャフトとを備え、前記脚部は、少なくとも引き出し動作時において板金面に当接する当て座部材と、当該当て座部材を基部フレームに取り付けるスタンド部材とを備え、当該脚部における当て座部材は、前記基部フレームに対して回動自在に取り付けられている板金用引出具を提供する。
【００１８】
当て座部材の回動方向は、車体パネルに直行する平面状であると、当て座部材の自由な配置を成し得ないことから、車体パネルに直行する平面内だけを回転するもの以外であれば、如何なる方向に回転するものであっても良い。例えば当て座部材が設置されるパネル面に平行な面内を回動自在に設置する他、遊星歯車などを用いてその回転方向を自在にすることもできる。ただし製造容易性や、製造コストなどを考慮すれば、当該当て座部材は、それが設置されるパネルに平行な面内を回動するように形成するのが望ましい。そして、当て座部材の回転を可能にする接続部としては、スタンド部材と当て座部材との接合部でも、スタンド部材と基部フレームとの接合部でも、或いは両方であっても良い。
【００１９】
そして上記当て座部材は、長尺な形状に形成され、スタンド部材に対して偏心した位置で取り付けられている事が望ましい。長尺な形状とは、湾曲しているか直線状であるかを問わず、当て座部材におけるパネルとの当接面の長編が短編よりも長く、望ましくは２倍以上、特に望ましくは３倍以上の長さを有するものとして形成する。このような長尺な形状には、長方形、楕円形、水滴形等が当然含まれ、これらの形状を湾曲させたものも含まれる。そして、このように長尺な形状に形成した当て座部材は、その中央以外の位置でスタンド部材に取り付けることにより、パネルに対する設置形状のパターンを様々な態様に変化させることができる。
【００２０】
また、当該当て座部材は、スタンド部材に取り付く部分において幅広く形成し、当該取付部分から離れるにつれて狭い幅に形成することが望ましい。これは、パネルの引き出しに伴って生じるパネル面に向かう力が、当該スタンド部材を介して当て座部材に伝えられることから、これを均等に分散させ、パネル面に損傷を与えないようにする為である。
【００２１】
また、前記脚部は、当て座部材とスタンド部材とからなる脚部構成単位を２つ以上組み合わせて構成さすることが望ましい。即ち、それぞれ別個独立して動かすことのできる脚部構成単位を使用することにより、パネルとの設置面のパターンを幅広く変更可能にするためである。
【００２２】
そして本発明にかかる板金用引出具では、前記スタンド部材は基部フレームに対して進退自在に取り付けられており、且つ前記基部フレームにおけるスタンド部材の取付部には、少なくとも基部フレームに対するスタンド部材の軸方向への移動を阻止するロック機構が設けられていることが望ましい。スタンド部材を基部フレームに対して進退自在に取り付けることにより、脚部の長さを調整することができ、更に基部フレームに対するスタンド部材の軸方向への移動を阻止するロック機構を設けることにより、パネル面の引き出し作業に際して反作用の力（パネル面に向かう力）が生じた場合であっても、パネル面と板金用引出具との距離を一定に保つことができる。かかるロック機構としては、スタンド部材の周囲に設けられた溝に噛合する螺子又はボルト等を使用することができる。そしてこのロック機構は、望ましくは、スタンド部材の軸方向への移動だけを阻止し、週方向への回動は自在に行い得るように、そのねじ込み量を調整する。
【００２３】
更に、本発明にかかる脚部構造を有する板金用引出具では、当て座部材の位置を自在に調整することができ、所望の領域を解放させておくことができるので、パネル面の引き出し作業と同時に、引き出し作業に伴って、必要以上に出っ張って来た部分などを、ハンマーで叩きながら引き出し作業を行うことができる。依って、引き出し作業を行いながら、より平らな面に調整することができる。
【００２４】
そして、上記本発明の板金用引出具では、パネル面を引き出す為の構造等は特に制限なく実施することができ、例えば手動でパネル面に接合した部材を引き出すものでも、圧縮空気をピストンに導入し、その力を利用してパネル面に接合した部材を引き出すものでも採用することができる。即ち、上記脚部以外の構成については、従前において知られている板金用引出具（プーラー）に採用されている構造乃至構成を利用することができる。
【００２５】
ただし、本発明にかかる板金用引出具は、望ましくは以下に示すような、パネル面の引き出し構造を備えていることが望ましい。
【００２６】
即ち、前記基部フレームに対して進退自在に設けられ、先端に板金面との接続具が設けられたシャフトと、当該シャフトを後退させる際の操作部としての操作レバーと、当該操作レバーの操作に応じてシャフトを後退させる第一のラチェット機構を備え、脚部の構成として、上述の構造乃至構成が採用されている板金用引出具である。
【００２７】
以下、好適なパネルの引き出し構造を有する板金用引出具について、具体的に説明する。
【００２８】
上記第一ラチェット機構としては、シャフトに設けられたラックと、操作レバーの操作によって、ラックをシャフトの後退方向に付勢するラチェット爪とを含んで構成する他、これとは逆にシャフトにラチェット爪を設け、操作レバーの操作によってラックを動かし、シャフトに設けられたラチェット爪を、シャフトの後退方向に付勢するように形成することもできる。
【００２９】
なお上記のようにラックと組み合わせて使用されるラチェット爪は、車体パネルを引き出している状態（即ち、シャフトを後退させている状態）において、両者の噛合が解除されることの無いように、バネその他の弾性部材によって、ラックに噛み込み勝手に付勢されていることが望ましい。
【００３０】
更に前記作動機構は、第一のラチェト機構によって後退したシャフトの前進を阻止する第二のラチェット機構を備えている事が望ましい。この第二ラチェット機構は、シャフトに設けたラックと、前記操作レバーとは無関係に当該ラックに噛合するラチェット爪とで構成することができる。このような第二ラチェット機構を具備することにより、操作レバーを一回操作してシャフトを所定量だけ後退させ、その後再度、操作レバーを元の位置に戻したとしても、先の操作で後退したシャフトの位置は、この第二ラチェット機構によって維持することができる。
【００３１】
依って、第二ラチェット機構を具備することにより、第一ラチェット機構によるシャフトの後退操作、即ち車体パネルの引き出し操作を繰り返し行うことができる。そして、操作レバーを一回操作することにより移動するシャフトの距離を、ラック歯の間隔やラチェット爪の長さ等によって設定しておけば、何回操作レバーを操作したか、或いはラチェット爪が幾つのラック歯を移動したか等を計測することにより、シャフトの後退量、ひいては車体パネルの引出し量を正確に調整することができる。例えば、操作レバーを引くことにより、ラックに噛合しているラチェット爪をシャフトの後退方向に移動させるものとして構成されている場合、一回の握り動作で移動するラチェット爪の移動量を特定し、その移動量中に存在するラック歯の数を特定しておけば、引き付けた操作レバーを元の位置に戻す際、ラチェット爪が移動するラック歯の数を、手の感触や音などで特定しながら所定量だけ戻し、そして再度操作レバーを引き付けることで、意図する量だけシャフトを後退させることができる。
【００３２】
上記のように操作レバーとは無関係にシャフトの移動を規制する第二のラチェット機構を設けた場合、再度、シャフトを前進させるためには、この第二のラチェット機構におけるシャフトの固定を解放しなければならない。そこで本発明では、更に、第一ラチェット機構におけラックとラチェットの噛合、及び第二ラチェット機構におけるラックとラチェットの噛合を同時に開放するリターンレバーを設けるのが望ましい。このように形成すれば２つのラチェット機構での制限を、リターンレバーの一回の操作で解放でき、補修作業における作業効率の向上を図ることができる。
【００３３】
また、前記シャフトは、常に、或いは後退した状態において、バネ、その他の弾性部材によって前進する向きに付勢されていることが望ましい。前記リターンレバーの操作により２つのラチェット機構における制限を解いた時に、シャフトが素早く元の位置に復帰できるようにするためである。
【００３４】
上記本発明の板金用引出具では、これまで述べてきたように、上記のラチェット機構によってパネルの引出し量を調整することが可能であるが、更に確実にパネルの引出し量を調整する場合には、前記シャフトの後端側に、軸方向に穿設した穴部を形成し、当該穴部に、シャフトの後退量を調整する引き出し量調節軸を挿通させるのが望ましい。即ち、パネルの引き出しに際して進退するシャフトを、フレームに固定された引き出し量調節軸で支持して、その移動量を調整するものである。特に、この引き出し量調節軸は、シャフトの軸方向に穿設した穴部に挿入されていることから、シャフトの後退量を調節するのみならず、シャフトの移動方向を規制することもできる。依って、このように形成すれば、シャフトの移動量と移動方向を単一の部材で規制することができることから、板金用引出具の軽量化を図ることができる。
【００３５】
更に、パネルの引出し量を正確に調整するためには、本発明にかかる板金用引出具において、シャフト進退方向に沿う目盛り部を基部フレームに設けると共に、当該目盛り部を指標する指針を前記引き出し量調節軸に設けることができる。このように形成すれば、より正確に引き出し量調節軸の移動量を設定することができ、即ち、シャフトの移動量、ひいてはパネルの引出し量を正確に設定することができる。
【００３６】
以上の様に、本発明にかかる板金用引出具は、ラチェット機構、シャフトの引き出し量調節軸、及び／又は目盛り部と指針とを備えることから、引き出し作業に先立って測定した凹みの深さの測定結果を有効に活用して引出し作業を行うことができ、しかも車体パネルの引き出し量の調整を、面倒な操作無しに、自在に行うことのできる板金用引出具となっている。
【００３７】
依って、本発明にかかる板金用引出具を使用して、車体パネルの補修作業を行うことにより、面倒な操作無しに車体パネルの引き出し量を調整することができ、特に引き出し作業に先立って凹みの深さを測定している場合には、それに応じた引出し量を、簡易な方法により調整することができる。
【００３８】
また、ラチェット機構を用いることにより、引き出しに要する力を複数回に分散させることができるので、引き出し作業の省力化を図ることができる。
【発明を実施するための最良の形態】
【００３９】
以下、本発明の実施の形態を添付図面を参照しながら説明する。
【００４０】
図１は本実施の形態にかかる板金用引出具10の全体斜視図であり、図２は当て座部材21の態様を示す略図であり、図３はこの実施の形態にかかる板金用引出具10の使用例を示す略図であり、図４は脚部27の高さ調節構造を示す略図であり、図５はハンマーなどでの叩き位置を示す略図である。
【００４１】
先ず、図１に基づいてこの実施の形態にかかる板金用引出具10の全体構成を示すと、この板金用引出具10は、板金面に当接する脚部27が設けられた基部フレーム20と、当該基部フレーム20に対して進退自在に設けられて先端に板金面との接続具31が設けられたシャフト30とを備えている。この内、脚部27は、少なくとも引き出し動作時において板金面に当接する当て座部材21と、この当て座部材21を基部フレーム20に取り付けるスタンド部材24とを備えて構成されており、脚部27における当て座部材21は、前記基部フレーム20に対して回動自在に取り付けられている。
【００４２】
特に、この図に示す板金用引出具10は、先端に設けられた溶接チップ31を、補修対象となるパネルP面に電気溶着によって接合するように形成されており、依って、この溶着チップ31が設けられたシャフト30は、パネルPの引き出し作業時において、図面上方に後退するものとして形成されている。また、この図に示す板金用引出具10では、シャフト30を後退させる為の操作レバー40を備えており、この操作レバー40を握ることにより、シャフト30は後退し、それに伴って先端の溶接チップ31に接合したパネルPを引き出すことができる。
【００４３】
本実施の形態において、脚部27は左右対称に存在する２つの脚部構成単位25からなり、各脚部構成単位25はスタンド部材24と、その先端に接続された当て座部材21とで構成され、夫々が別個独立して可動に形成されている。
【００４４】
夫々の脚部構成単位25は、当て座部材21を、これが当接される車体パネルP面と平行な面を自在に回動し得るように設けられており、これにより図２に示すような様々な姿勢を呈することができる。特に図２は当て座部材21として異なる形態のものを使用した態様を示しており、図２（Ａ）に示す当て座部材21は長尺状にした水滴形状を湾曲させた平面形状を有しており、最も幅のある部分でスタンド部材24に接合されている。また図２（Ｂ）に示す当て座部材21は全体に丸みを帯びた楔形の平面形状を有しており、これも最も幅のある部分でスタンド部材24に接合されている。そして図２（Ｃ）は各脚部構成単位25ごとに異なる平面形状の当て座部材21を使用した態様を示しており、一方の当て座部材21は図２（Ａ）に示したものと同じで、他方の当て座部材21はやや長尺上に形成した楔形の平面形状を有する当て座部材21を使用している。この何れの態様の当て座部材21もスタンド部材24の軸回りに回動自在に設置されている。
【００４５】
次に、図３を参照しながら本実施の形態にかかる板金用引出具10での当て座部材21の使用態様を説明する。例えば図３（Ａ）に示すように、補修対象となる凹みが線傷60のように長尺上である場合には、それぞれの脚部構成単位25における当て座部材21を線傷60に沿わせて広げることで、当該線傷60の真上に溶接チップ31がくるように設置することができる。一方、図３（Ｂ）に示すように補修対象となる凹みが一定の面積で窪んでいる凹み61の場合には、各脚部構成単位25における当て座部材21を、同じ高さの領域に存在するように展開させることで、パネル面Pに対して板金用引出具10（特にシャフト30）を鉛直方向に設置することができ、これによりパネルP面を鉛直方向に引き出すことができる。
【００４６】
そして、本実施の形態に示す板金用引出具10では、各脚部構成単位25におけるスタンド部材24の後端側には、図４に示すように周方向にまわる溝27が形成されており、この溝27に対して基部フレーム20から差し込まれた螺子26が嵌るようにして取り付けられている。このような構造によってスタンド部材24を取り付けることにより、各螺子26は、基部フレーム20に対するスタンド部材24の軸方向への移動を阻止するロック機構として機能することになる。
【００４７】
また、この板金用引出具10を使用して、車体パネルPの凹んだ部分を引き出す場合、凹んだ部分の一点を引き出すことにより、それに伴って、引き出し地点の周囲も引き出されることから、結果として損傷前のパネルP面よりも盛り上がる部分が生じる可能性もある（図５中のＨ点）。そこで、板金用引出具10の引き出しと同時に、このＨ点をハンマーなどで叩き込むことで、より平らな引き出し面を作り出すことができる。
【００４８】
以上のように構成された板金用引出具10は、補修対象となるパネルP面に対する設置形状（当て座部材21の配置形状）を自在に調整することができ、しかも引き出し作業と同時に叩き込み作業を行うための空間を確保できるように当て座部材21を配置できることから、より的確な補修作業を行うことができるようになる。
【００４９】
次に、上記脚部27を伴うことのできる、好適な板金用引出具10の内部構造、及び作用・効果を図６〜１０を参照しながら説明する。
【００５０】
図５は、本実施の形態にかかる板金用引出具10の内部構造を示す略図であり、図７は、ラチェット機構Rを示す要部拡大図であり、図８は、この板金用引出具10を用いた引き出し工程を示す略図であり、図９は引き出し量を正確に調整するための目盛り部23を示す略図であり、図１０は、この板金用引出具10を用いて車体パネルPの損傷を補修している状態を示す略図である。
【００５１】
先ず、図６を参照しながら本実施の形態にかかる板金用引出具10の内部構造を説明する。この図に示す板金用引出具10は、板金面Pに当てる当て座部材21が取り付けられた基部フレーム20と、この基部フレーム20に対して進退自在に設けられるシャフト30と、シャフト30の先端に設けられて、車体パネルPの凹み部に溶接される溶接チップ31と、シャフト30を後退移動させる為の力を加える操作レバー40と、操作レバー40に加えられた力でシャフト30を後退させる第一ラチェット機構R1と、シャフト30の後退量を規制する引き出し量調節軸50と、後退したシャフト30の前進を阻止する第二ラチェット機構R2を伴って構成されている。
【００５２】
シャフト30の先端に設けられる溶接チップ31には、シャフトとの接合部に供給される電気が通電し、車体パネルPに対して電気溶着される。一方、シャフト30の後端には、その軸方向に穿設された穴部32が形成され、この穴部32には引き出し量調節軸50が挿入されている。これにより当該シャフト30は引き出し量調節軸50に沿って進退移動することができる。
【００５３】
そしてこの引き出し量調節軸50は、基部フレーム20に取り付けられたナット22に対して螺合されており、このナット22に対する進退を基部フレーム20の外側から操作できるように、その後端には、当該引き出し量調節軸50の操作部51が設けられている。この操作部51によって、引き出し量調節軸50は軸芯回りに回転し、穴部32に対する挿入量を調整することができる。
【００５４】
そしてシャフト30に設けられるラック33には、バネなどの弾性部材42によって噛み込み勝手に付勢されているラチェット爪41が噛合しており、このラチェト爪は、基部フレーム20に対して揺動自在に軸着又は枢着されている操作レバー40を図６中の矢印方向に動かすことによってラック歯33'に噛み合い、当該操作レバー40の移動に伴ってシャフト30を後退させる。
【００５５】
このように本実施の形態にかかる板金用引出具10ではラチェット機構Rによってシャフト30を後退させていることから、操作レバー40の戻し量を調整することにより、その後退量（即ちパネル面Pの引き出し量）を正確に調整することができる。
【００５６】
即ち、図７に示すように、操作レバー40を一回揺動させることによってシャフト30が移動する距離を（X）とすると、操作レバー40を元の位置に戻す事で、ラチェット爪41は距離（X）の範囲に存在するラック歯33'の数（Y）だけ移動する。依って「距離（X）／ラック歯33'の数（Y）」を求めることで、ラック歯１つあたりの後退量（引き出し量）を算出することができる。そこで操作レバー40を戻す際、希望する後退量（引き出し量）に応じた数のラック歯分だけ操作レバー40を戻し、そして再度ラチェット爪41の噛合方向に操作レバー40を引くことにより、正確な引き出し量を出すことができる。なお、引き出しレバーを戻す際のラック歯33'の戻り数は、操作レバー40に伝わる感触や音によって特定することができる。
【００５７】
この図７において、シャフト30の移動距離（X）を３ｍｍとすると、一回の操作によりラック歯33'が３個分移動することから、ラック歯一個あたりの移動距離は「３ｍｍ／３個」で１ｍｍとなる。よって、操作レバー40を戻す際、ラチェット爪41の移動量をラック歯２個に設定すると、次の操作で操作レバーを引くことにより、シャフト30を２ｍｍ後退させ、パネルPを２ｍｍ引き出すことができる。
【００５８】
そして、第一のラチェット機構R1の操作で後退したシャフト30は、第二のラチェット機構R2により前進方向への移動が阻止され、その後退位置が維持されていることから、上記のように操作レバー40を元の位置に戻した場合においても、パネルPの引き出し量を維持することができる。
【００５９】
特にこの実施の形態に示すように、シャフト30の後退動作にラチェット機構Rを使用し、更にその前進を阻止するための第二のラチェット機構Rを設けていることから、変形した金属パネルPを、少しづつ、複数回に分けてパネルPの引き出すことができる。その結果、従来においては、多大な握力が要求されていたパネルPの引き出し作業を、少ない握力で、簡易に行うことができるようになる。依って、本発明にかかる板金用引出器具を使用すれば、女性等のように握力の弱いものでも、車体パネルPの引き出し作業を行うことができるようになる。
【００６０】
そして、必要量だけシャフト30を後退させてパネルPを引き出した後は、リターンレバー43を操作して（引いて）、第一ラチェット及び第二ラチェット機構Rにおけるラック33とラチェット歯の噛合を同時に解放する。この解放によって、基部フレーム20はシャフト30の後端側に設置された弾性部材34により後方に押し出され、当て座部材21が板金面Pから離れる。そこでパネルPに接合している溶接チップ31を揺らしたり、回したりして溶接チップ31をパネルPから剥し、次の補修ポイントに溶接させる。
【００６１】
なお、溶接チップ31の先端をパネル面Pに接合させるための電気の通電スイッチは、操作レバー40に指を掛けた状態で操作できる範囲内に設けることが望ましい。
【００６２】
次に、上記板金用引出具10において、引き出し量調節軸50及び目盛り部23などを使用し、より正確にパネルPの引き出し量を調整する補修方法を図８及び９に基づいて説明する。
【００６３】
先ず、シャフト30が最も先に位置している状態で、その先端に設けた溶接チップ31を補修対象となるパネルP面に電気溶接する（図８（Ａ））。次に、操作レバー40を引いて、当て座部材21がパネルP面に接するまで（基部フレーム20に対しての）シャフト30の位置を後退させる。この時、車体パネルPを基準にみれば、基部フレーム20が車体パネルP側に前進していることになる（同図（Ｂ））。この状態において、引き出し量調節軸50を、穴部32の底面に付くまでねじ込み、それから引き出し量に相当する分だけ後退させる（同図（Ｃ））。この引き出し量調節軸50の後退量は、例えば操作部51を一回転させると２ｍｍ後退するなどのように、引き出し量調節軸50に設けた螺子溝の幅や角度等を調整する事が望ましい。また、図９に示すように、シャフト30進退方向に沿う目盛り部23を基部フレーム20に設けると共に、当該目盛り部23を指標する指針52を、操作部51など、引き出し量調節軸50と共に移動する箇所に設け、この指針52が示す目盛り部23の値に基づいて、引き出し量調節軸50を後退させることもできる。
【００６４】
この引き出し量調節軸50の後退により、引き出し量調節軸50の先端と穴部32の底面との間には、当該引き出し量調節軸50の後退量に一致する長さの空間部が生じる。そして、図８（Ｄ）及び（Ｅ）に示すように複数回、操作レバー40を操作してシャフト30を後端方向に移動させ、凹んだパネルP面を引き出す。
【００６５】
当初予定した引き出し量（即ち、引き出し量調節軸50を後退させた分）を引き出すと、図８（Ｆ）に示すように、シャフト30の後端の穴部32の底が引き出し量調節軸50の先端に当たることから、それ以上の引き出しを阻止することができる。これで、当初予定した引き出し作業は完了することから、リターンレバー43を引いて、第一及び第二ラチェットの噛合を解き、当て座部材21をパネルP面から浮かせる。その後、溶接チップ31をパネルP面から剥して次の引き出しポイントに移動させ、同じように作業を行う。
【００６６】
なお、この作業の状態は、例えば図１０に示すように車体パネルPに生じた凹みに対して行うことができる。
【００６７】
以上の操作により、凹んだパネル面Pをある程度引き出した後は、従来の補修方法と同じように、パテの塗布・硬化作業、及びサーフェサー（プライマーサーフェサー）の塗布・硬化作業と、適宜研磨作業を行い、最後に上塗り塗装を行って磨き上げることで、車体パネルPの補修作業が完了する。
【００６８】
尚、本発明は、上記した実施の形態に限定されるものではなく、本発明の要旨を逸脱しない範囲内において種々変更を加え得ることは勿論である。
そして本発明にかかる板金用引出具は、望ましくは以下の構成を伴うことができる。
（１）板金面を引き出すための板金用引出具であって
板金面に当てる当て座が取り付けられた基部フレームと、
当該基部フレームに対して進退自在に設けられて先端に板金面との接続具が設けられたシャフトと、
当該シャフトを後退させる際の操作部としての操作レバーと、
当該操作レバーの操作に応じてシャフトを後退させる第一のラチェット機構を備えることを特徴とする、板金用引出具。
（２）前記第一ラチェット機構は、シャフトに設けられたラックと、操作レバーの操作によって当該ラックをシャフトの後退方向に付勢するラチェット爪とを含んで構成される前記（１）に記載の板金用引出具。
（３）更に、第一のラチェト機構によって後退したシャフトの前進を阻止する第二のラチェット機構を備える、前記（１）又は（２）に記載の板金用引出具。
（４）更に、第一ラチェット機構におけラックとラチェットの噛合、及び第二ラチェット機構におけるラックとラチェットの噛合を同時に開放する、リターンレバーが設けれられている前記（１）〜（３）の何れか一項に記載の板金用引出具。
（５）後退した状態のシャフトは、弾性部材によって前進する向きに付勢されている、前記（１）〜（４）の何れか一項に記載の板金用引出具。
（６）更に、前記シャフトの後端側には、軸方向に穿設された穴部が形成され、当該穴部にはシャフトの後退量を調整する引き出し量調節軸が挿通されている、前記（１）〜（５）の何れか一項に記載の板金用引出具。
（７）更に、前記基部フレームには、シャフト進退方向に沿う目盛り部が設けられ、前記引き出し量調節軸には、当該引き出し量調節軸と共に移動し、且つ当該目盛り部を指標する指針が設けられている、前記（６）に記載の板金用引出具。
（８）板金面を引き出すための板金用引出具であって、
板金面に当てる当て座が取り付けられた基部フレームと、
当該基部フレームに対して進退自在に設けられると共に、先端に板金面との接続具が設けられ、後端に軸方向に穴部が穿設されたシャフトと、
当該シャフトを後退させる時の操作部である操作レバーと、
当該操作レバーの操作に応じて、前記シャフトを後退させる第一のラチェット機構と、
第一のラチェト機構によって後退したシャフトの前進を阻止する第二のラチェット機構と、
少なくとも後退した状態のシャフトを、前進する向きに付勢する弾性部材と、
前記シャフトの後端側に穿設された穴部に挿通され、シャフトの後退量を調整する引き出し量調節軸と、
前記基部フレームに設けられた、シャフト進退方向に沿う目盛り部と、
前記引き出し量調節軸に設けられた、当該引き出し量調節軸と共に移動し、且つ当該目盛り部を指標する指針と、
を備える、板金用引出具。
（９）車体パネルの窪みを補修する車体パネルの補修方法であって、
当該補修方法は、窪んだ車体パネルを板金用引出具で引き出す工程を含み、
当該板金用引出具として、前記（１）〜（８）の何れか一項に記載の板金用引出具が使用されることを特徴とする、車体パネルの補修方法。
（１０）車体パネルの窪みを補修する車体パネルの補修方法であって、
当該補修方法は、窪んだ車体パネルを前記（８）に記載の板金用引出具で引き出す引き出し工程を含み、当該引き出し工程は、
弾性部材によって前進方向に付勢されているシャフトの先端に設けられた接続具を、板金面に溶着する工程、
操作レバーを操作してシャフトを後退させ、板金面に当て座を当接させる工程、
シャフトの後端側に穿設された穴部に挿通された引き出し量調節軸を、当該穴部の底面に押し当てると共に、目盛り部を指標する指針に基づいて、車体パネルの引き出し量分だけ引き出し量調節軸を後退させる工程、
シャフトの後端側に穿設された穴部の底面が、後退させた引き出し量調節軸の先端に当たるまで操作レバーを操作し、シャフトを後退させる工程
を含むことを特徴とする、車体パネルの補修方法。
【図面の簡単な説明】
【００６９】
【図１】本実施の形態にかかる板金用引出具の全体斜視図
【図２】当て座部材の態様を示す略図
【図３】この実施の形態にかかる板金用引出具の使用例を示す略図
【図４】脚部の高さ調節構造を示す略図
【図５】ハンマーなどでの叩き位置を示す略図
【図６】本実施の形態にかかる板金用引出具の内部構造を示す略図
【図７】ラチェット機構を示す要部拡大図
【図８】板金用引出具を用いた引き出し工程を示す略図
【図９】引き出し量を正確に調整するための目盛り部を示す略図
【図１０】板金用引出具を用いて車体パネルの損傷を補修している状態を示す略図
【符号の説明】
【００７０】
10 板金用引出具
20 基部フレーム
21 当て座部材
22 ナット
23 目盛り部
30 シャフト
31 溶接チップ
32 穴部
33 ラック
33' ラック歯
40 操作レバー
41 ラチェット爪
42 弾性部材
43 リターンレバー
50 引き出し量調節軸
51 操作部
52 指針
P 車体パネル
R ラチェット機構
R1 第一ラチェット機構
R2 第二ラチェット機構
【図１】
2007083244.tif 000003
【図２】
2007083244.tif 000004
【図３】
2007083244.tif 000005
【図４】
2007083244.tif 000006
【図５】
2007083244.tif 000007
【図６】
2007083244.tif 000008
【図７】
2007083244.tif 000009
【図８】
2007083244.tif 000010
【図９】
2007083244.tif 000011
【図１０】
2007083244.tif 000012